(57)【要約】【課題】本発明は、簡易な方式により、マウントレールに電子機器の給電ケーブルを設置することができる電子機器支持フレーム及び電子機器におけるケーブル支持方法を提供する。【解決手段】ラック支柱１を構成する前柱フレームと後柱フレーム４との間を連結しかつその内側面で電子機器Ｅの側部を支持するマウントレール２と、該マウントレール２の後部に設けられた給電ケーブルクランプ機構３と、を有し、給電ケーブルクランプ機構３は、マウントレール２の支持されるブラケット５と、該ブラケット５の内側に設けられて給電ケーブルＣに係止されるクランプ部材６と、を具備する。【選択図】図１
2020150010.tif 000002
【特許請求の範囲】
【請求項１】
ラック支柱を構成する前柱フレームと後柱フレームとの間を伸縮可能に連結しかつその内側面で電子機器の側部を支持するマウントレールと、
該マウントレールの後部に設けられた給電ケーブルクランプ機構と、を有し、
前記給電ケーブルクランプ機構は、前記マウントレールの後部位置で支持されるブラケットと、該ブラケットに設けられて前記電子機器の給電ケーブルを係止及び保持するクランプ部材と、を具備することを特徴とする電子機器支持フレーム。
【請求項２】
前記ブラケットは、中継プレートを介して、前記マウントレールの長さ方向に沿いかつ該マウントレールの後部から後方に突出／退避するように移動自在に設けられることを特徴とする請求項１に記載の電子機器支持フレーム。
【請求項３】
前記ブラケットの中継プレートと前記マウントレールとの間には、前記ブラケットの中継プレートを前記マウントレールに対して位置決め及び固定するための締結手段が設けられることを特徴とする請求項２に記載の電子機器支持フレーム。
【請求項４】
前記ブラケットには、前記マウントレールに装填された電子機器の後部に係止されて該電子機器を後方から支持する機器係止片が設けられることを特徴とする請求項１〜３のいずれか１項に記載の電子機器支持フレーム。
【請求項５】
前記給電ケーブルクランプ機構のクランプ部材に係止される給電ケーブルは、前記電子機器の給電ケーブルであることを特徴とする請求項１〜４のいずれか１項に記載の電子機器支持フレーム。
【請求項６】
前記マウントレールは、アウターレールと、該アウターレールに対して長さ方向にスライド自在に設けられたインナーレールとからなり、
前記アウターレール及びインナーレールの端部は、前記ラック支柱を構成する前柱フレーム又は後柱フレームにそれぞれ連結されることを特徴とする請求項１〜５のいずれか１項に記載の電子機器支持フレーム。
【請求項７】
前記ラック支柱及びマウントレールに支持される電子機器の背面には、該電子機器に接続された機器ケーブル等を載置する伸縮ケーブルレースが設けられることを特徴とする請求項１〜６のいずれか１項に記載の電子機器支持フレーム。
【請求項８】
前記伸縮ケーブルレースは、前記ラック支柱の後柱フレームにそれぞれ固定された一対の固定ブラケットと、各固定ブラケットに対してスライド自在に設けられかつその上面に電子機器の機器ケーブル等が載置される棚板と、前記固定ブラケットに対して前記棚板を締結する締結手段と、を具備することを特徴とする請求項７に記載の電子機器支持フレーム。
【請求項９】
ラック支柱を構成する前柱フレームと後柱フレームとの間を連結しかつその内側面で電子機器の側部を支持するマウントレールの後部位置にて、電子機器に接続される給電ケーブルをクランプすることにより、該給電ケーブルを支持することを特徴とする電子機器におけるケーブル支持方法。
【発明の詳細な説明】
【技術分野】
【０００１】
本発明は、電子機器搭載用の汎用１９インチラックに適用可能な電子機器支持フレーム及び電子機器におけるケーブル支持方法に関する。
【背景技術】
【０００２】
サーバなどの電子機器は、一部の仕様を除いて構造規格化されていない汎用１９インチラックへ搭載されることがある。
この１９インチラックでは、電子機器を搭載するために伸縮自在なマウントレールが使用される。
そして、このようなマウントレールでは、地震などでラック全体が揺れた場合に備え、電子機器の破損を防止するために、電子機器の背面側をねじ固定する必要がある。
【０００３】
この種のマウントレールに関する技術として特許文献１が知られている。
特許文献１に示されるラックマウントレールは、第一レール部材及び第二レール部材を有している。
第二レール部材の板部には、前後方向に所定間隔をもって複数のピンが形成される。これらピンは、第一レール部材の板部に形成された長孔に収容されており、これにより第一レール部材と第二レール部材とを長手方向にスライドさせ、ラックマウントレール全体を伸縮可能とする。
また、ラックマウントレールの各端部には、ラックに接続可能な第一固定部と第二固定部とが、スライド部によって繋がれて接近及び離間するように設けられている。第一固定部はラックの奥柱に固定されるとともに、第二固定部はラックの手前柱に固定される。
【０００４】
一方、ラックへの給電ケーブル設置に関する技術として特許文献２が知られている。
特許文献２の整理枠では、マウントレール上に設置されたサーバコンピュータの背面に各種の異なる接続端子及び給電ケーブルが接続される構成が開示されている。
これらの接続端子及び給電ケーブルは、枠体内を通過した後、給電ケーブルのみが枠体の穿通孔を通して伸縮アーム内部を通過する。
【先行技術文献】
【特許文献】
【０００５】
【特許文献１】特開２０１５−１２２３７６号公報
【特許文献２】実用新案登録第３１０８７７２号公報
【発明の概要】
【発明が解決しようとする課題】
【０００６】
ところで、特許文献１に示されるラックマウントレールでは、背面側に電子機器に接続される給電ケーブルが引き回されるが、給電ケーブルの定められた固定方式がなく、給電ケーブル設置が不安定となる問題がある。
一方、特許文献２の整理枠には、マウントレールの後部位置に設けた伸縮アームの内部を通じて給電ケーブルを設置する構造が示されているが、給電ケーブルの引き回しを円滑にするためには、給電ケーブルに追従して伸縮する伸縮アーム使用した機構が必要となり、全体の構成が複雑化するという問題がある。
【０００７】
この発明は、上述した事情に鑑みてなされたものであって、簡易な方式により、マウントレールに電子機器の給電ケーブルを支持させることができる電子機器支持フレーム及び電子機器におけるケーブル支持方法を提供する。
【課題を解決するための手段】
【０００８】
上記課題を解決するために、この発明は以下の手段を提案している。
本発明の第１態様に示される電子機器支持フレームでは、ラック支柱を構成する前柱フレームと後柱フレームとの間を伸縮可能に連結しかつその内側面で電子機器の側部を支持するマウントレールと、該マウントレールの後部に設けられた給電ケーブルクランプ機構と、を有し、前記給電ケーブルクランプ機構は、前記マウントレールの後部位置で支持されるブラケットと、該ブラケットに設けられて前記電子機器の給電ケーブルを係止及び保持するクランプ部材と、を具備することを特徴とする。
【０００９】
本発明の第２態様に示される給電ケーブル支持方法では、ラック支柱を構成する前柱フレームと後柱フレームとの間を連結しかつその内側面で電子機器の側部を支持するマウントレールの後部位置にて、電子機器に接続される給電ケーブルをクランプすることにより、該給電ケーブルを支持することを特徴とする。
【発明の効果】
【００１０】
本発明によれば、簡易な方式により、マウントレールに電子機器の給電ケーブルを支持させることができる。
【図面の簡単な説明】
【００１１】
【図１】本発明に係る電子機器支持フレームの斜視図である。
【図２】本発明の実施形態に係る電子機器支持フレームの斜視図である。
【図３】伸縮ケーブルレースを外した状態で、図２を拡大した斜視図である。
【図４】支柱に設置された伸縮マウントレールを示す斜視図である。
【図５】伸縮マウントレール及び給電ケーブルクランプ機構を示す斜視図である。
【図６】給電ケーブルクランプ機構に給電ケーブルが設置された状態を示す斜視図である。
【図７】柱フレーム間距離が拡大されたラックに電子機器が搭載された状態を示す斜視図である。
【図８】伸縮ケーブルレースを示す斜視図である。
【図９】柱フレームに伸縮ケーブルレースが取り付けられた状態を示す斜視図である。
【図１０】伸縮ケーブルレースの中間部に後柱フレームが連結された状態を示す斜視図である。
【発明を実施するための形態】
【００１２】
本発明に係る電子機器支持フレーム１００の最小構成について、図１を参照して説明する。
この電子機器支持フレーム１００は、ラック支柱１、マウントレール２及び給電ケーブルクランプ機構３と、を主な構成要素とする。
ラック支柱１は、前側に位置する前柱フレーム（図示略）と、後側に位置する後柱フレーム４とからなる。
【００１３】
マウントレール２は、前柱フレームと後柱フレーム４との間を伸縮自在に連結しかつその内側面で電子機器Ｅの側部を支持するものである。
給電ケーブルクランプ機構３は、マウントレール２の後部位置で支持されるブラケット５と、該ブラケット５に設けられて給電ケーブルＣを係止及び保持するクランプ部材６と、を具備する。
【００１４】
以上のように構成された電子機器支持フレーム１００では、給電ケーブルクランプ機構３として、伸縮可能なマウントレール２の後部位置にて支持されるブラケット５と、該ブラケット５に設けられて給電ケーブルＣを係止するクランプ部材６と、を具備するようにした。
そして、このような給電ケーブルクランプ機構３では、ブラケット５に設けられたクランプ部材６を介して電子機器Ｅの給電ケーブルＣを支持することができ、簡易な方式により、マウントレール２における電子機器Ｅの給電ケーブル支持を実現できる。
【００１５】
なお、以上のような構成の電子機器支持フレーム１００は、汎用１９インチラックに適用することができる。
具体的には、汎用１９インチラックにおいて、任意距離である正背面の柱フレーム間（前柱フレームと後柱フレーム４との間）、つまり任意の背面柱フレーム位置に対応できる伸縮可能なマウントレール２を用い、該マウントレール２に電子機器Ｅの背面を固定可能な機構部品（ブラケット５）や、給電ケーブルＣの給電ケーブルクランプ機構３を搭載することで、汎用ラックの背面柱フレームの位置に関係無く、電子機器Ｅの位置を基準として機構部品搭載を実現できる。  
【００１６】
（実施形態）
本発明の実施形態に係る電子機器支持フレーム１０１について図２〜図１０を参照してさらに詳細に説明する。
この電子機器支持フレーム１０１は、図２〜図６に示されるように、ラック支柱１０、伸縮マウントレール１１、給電ケーブルクランプ機構２０及び伸縮ケーブルレース４０を主な構成要素としている。
【００１７】
ラック支柱１０は、図２及び図３に示されるように、前側に位置する複数の前柱フレーム１０Ａと、後側に位置する複数の後柱フレーム１０Ｂとを有する汎用１９インチラック（Ｒ）である。
前柱フレーム１０Ａ及び後柱フレーム１０Ｂのそれぞれは左右方向（矢印Ａ１方向）に間隔をおいて設けられ、一対の前柱フレーム１０Ａ及び後柱フレーム１０Ｂを組みとして前後方向（矢印Ａ２方向）に間隔をおいて設けられている。
【００１８】
伸縮マウントレール１１は、前後方向（矢印Ａ２方向）に位置する前柱フレーム１０Ａと後柱フレーム１０Ｂとの間を連結し、かつ２本の伸縮マウントレール１１の内側面で電子機器Ｅの側部を支持する。
伸縮マウントレール１１は、図４及び図５に示されるように、アウターレール１２と、該アウターレール１２に対して前後方向（矢印Ａ２方向）に一致する長さ方向にスライド自在に設けられたインナーレール１３とを有する２重構造で構成されている。
【００１９】
インナーレール１３には長さ方向に沿う２本の長丸穴１４が加工されており、このインナーレール１３内にアウターレール１２を任意のスライド位置で固定可能なねじ１５が締結される。
アウターレール１２及びインナーレール１３の端部には、ラック支柱１を構成する前柱フレーム１０Ａ又は後柱フレーム１０Ｂの締結孔１０ａ，１０ｂにそれぞれ連結されるボルト１２Ａ，１３Ａが配置されている。
【００２０】
給電ケーブルクランプ機構２０は、伸縮マウントレール１１の後部位置にて中継プレート１７を介して連結される機構品ブラケット２１と、電子機器Ｅに接続された給電ケーブルＣ１を係止及び保持するクランプ部材Ｍと、を有する（後述する）。
機構品ブラケット２１が支持される中継プレート１７と伸縮マウントレール１１のインナーレール１３との間には、該中継プレート１７をインナーレール１３に対して前後方向（矢印Ａ２方向）に位置決め及び固定するための締結手段５０が設けられている。
また、機構品ブラケット２１と中継プレート１７との間には、該機構品ブラケット２１を中継プレート１７に対して前後方向（矢印Ａ２方向）に位置決め及び固定するための締結手段５１が設けられている。
【００２１】
図４及び図５に示されるように、締結手段５０としては、アウターレール１２に対してスライドされるインナーレール１３に、長さ方向に一定の間隔で配置される煙突形状の部品１６に対して、ねじ１８により中継プレート１７を固定する方式が用いられている。
また、締結手段５１としては、中継プレート１７の長さ方向に一定の間隔で複数のねじ穴１９を形成するとともに、機構品ブラケット２１の長さ方向に一定の間隔で複数の長丸穴２４を形成し、これらねじ穴１９と長丸穴２４とを重ねて貫通させた状態でねじ２３により双方を固定する方式が用いられている。
これにより、機構品ブラケット２１は、中継プレート１７を介して伸縮マウントレール１１の長さ方向に沿いかつ該伸縮マウントレール１１の後部から後方に突出／退避するように前後方向（矢印Ａ２方向）に移動自在に設けられる。
【００２２】
給電ケーブルクランプ機構２０は、図６に示されるように、伸縮マウントレール１１の後部位置で中間プレート１７を介して支持される機構品ブラケット２１と、該機構品ブラケット２１の外側面にねじ３２で固定されかつ電子機器Ｅからの給電ケーブルＣ１を保持するクランプ部材Ｍと、を具備する。
このクランプ部材Ｍには、給電ケーブルＣ１を係止及び保持するためのリング状部材３３が設けられている。
一方、機構品ブラケット２１の内側面には、電子機器Ｅの背面に係止されて該電子機器Ｅを後方から支持する機器係止片２２が設けられている。
【００２３】
参考として、図７では、ラック支柱１０の正背面の柱フレーム間距離Ａ２´（図４参照）を拡大（例えば、７００ｍｍから９００ｍｍに拡大）した際の電子機器Ｅの搭載イメージ図が示される。そして、この図では、電子機器Ｅの背面を固定する機構品ブラケット２１の相対位置が前後方向（矢印Ａ２方向）に異なることが確認できる。
【００２４】
次に、伸縮ケーブルレース４０について図８〜図１０を参照して説明する。
伸縮ケーブルレース４０は、ラック支柱１０の後柱フレーム１０Ｂに固定される一対の固定ブラケット４３と、各固定ブラケット４３に対してスライド自在な一対のスライド部材４５を一体に有しその上面に電子機器Ｅの機器ケーブル（信号ケーブル、給電ケーブル、接地ケーブル等の各種ケーブル）が載置される棚板４２と、該棚板４２のスライド部材４５を固定ブラケット４３に対して締結する締結ねじ４４と、を具備する。
【００２５】
固定ブラケット４３は、電子機器Ｅが設置されるラック支柱１０の後柱フレーム１０Ｂにそれぞれ設置されるものであって、該後柱フレーム１０Ｂの所定高さの締結孔１０ｂに対してねじ４３Ａによる締結で固定される。
棚板４２は、固定ブラケット４３に対して前後方向（矢印Ａ２方向）にスライド自在に設けられるものであって、その両側に、ねじ穴４５Ａを有するスライド部材４５が一体に設けられている。
また、この棚板４２は、ラック支柱１０の後柱フレーム１０Ｂから後方に突出可能かつ伸縮自在に設けられ、所定の位置にて、連結ねじ４４を締結することで、両側のスライド部材４５が固定ブラケット４３に対して位置決め及び固定される。
【００２６】
また、図８〜図１０において、図９は電子機器Ｅが後柱フレーム１０Ｂから後方に突出した状態で、該伸縮ケーブルレース４０を後柱フレーム１０Ｂに取り付けた状態を示している。また、図１０は電子機器Ｅが後柱フレーム１０Ｂの前側に収まっている状態で、伸縮ケーブルレース４０を後柱フレーム１０Ｂに取り付けた状態を示している。
【００２７】
次に、本実施形態に係わる電子機器支持フレーム１０１の組立方法について順番に説明する。
まず、図４に示されるように、ラック支柱１０を構成する前柱フレーム１０Ａ及び後柱フレーム１０Ｂにおける前後方向（矢印Ａ２方向）のフレーム間距離Ａ２´（図４参照）に合わせて、伸縮マウントレール１１のアウターレール１２及びインナーレール１３を伸縮調整した後、該伸縮マウントレール１１の全体長さをインナーレール固定ねじ１５により調整及び保持する。
【００２８】
更に、伸縮マウントレール１１に装填する電子機器Ｅの背面位置に合わせて、インナーレール１３に対する中継プレート１７の固定位置を、ねじ１８により調整する。これにより中継プレート１７が、伸縮マウントレール１１のインナーレール１３に対して長さ方向に沿う前後方向（矢印Ａ２方向）に位置決めされる。
【００２９】
その後、アウターレール１２及びインナーレール１３の端部にて、締結孔１０ａ，１０ｂ及びボルト１２Ａ，１３Ａを介して、前柱フレーム１０Ａ又は後柱フレーム１０Ｂを連結させる。これにより伸縮マウントレール１１が、任意の奥行寸法の汎用１９インチラック（Ｒ）のラック支柱１０に固定される。
【００３０】
その後、ラック支柱１０に設置された伸縮マウントレール１１に電子機器Ｅを搭載した後、電子機器Ｅの背面位置に合うように、中継プレート１７のねじ穴１９と、機構品ブラケット２１の長丸穴２４を介して、位置を調整しながら、機器係止片２２を有した機構品ブラケット２１をねじ２３により固定する（図７参照）。
その後、機構品ブラケット２１に設置された給電ケーブルクランプ機構２０にて、クランプ部材Ｍをねじ３２により固定し、該クランプ部材Ｍのリング状部材３３を介して、電子機器Ｅに接続された給電ケーブルＣ１をクランプする。このクランプとともに、機構品ブラケット２１に設置された機器係止片２２を、電子機器Ｅの背面に係止することにより、該電子機器Ｅを後方から支持する（図６参照）。
【００３１】
図９に示すように、伸縮ケーブルレース４０を汎用１９インチラック（Ｒ）の後柱フレーム１０Ｂへ搭載する。
具体的には、伸縮ケーブルレース４０では、棚板４２のスライド部材４５に設けられたねじ穴４５Ａにおける、左右固定ブラケット４３の締結ねじ４４の締結位置を変えることで、固定ブラケット４３に対する棚板４２の位置を前後方向（矢印Ａ２方向）に変えることができる。
その結果、本例では、汎用１９インチラック（Ｒ）の後柱フレーム１０Ｂの位置に関係無く、搭載する電子機器Ｅの背面位置に合わせて、伸縮ケーブルレース４０の棚板４２の前後方向（矢印Ａ２方向）に沿う位置を調整可能なり、電子機器Ｅの背面に接続される複数本の機器ケーブル等の引き回し処理が可能となる。
【００３２】
以上のように構成された本実施形態に係わる電子機器支持フレーム１０１では、給電ケーブルクランプ機構２０として、伸縮マウントレール１１の後部位置にて支持される機構品ブラケット２１と、該機構品ブラケット２１に設けられて給電ケーブルＣ１を係止するクランプ部材Ｍと、を具備するようにした。
そして、このような給電ケーブルクランプ機構２０では、機構品ブラケット２１に設けられたクランプ部材Ｍを介して電子機器Ｅの給電ケーブルＣ１を支持することができ、簡易な方式により、伸縮マウントレール１１における電子機器Ｅの給電ケーブル支持を実現できる。
【００３３】
さらに本実施形態における具体的な効果として以下のようなものがある。
《１》本実施形態では、伸縮マウントレール１１が使用できるので、汎用１９インチラック（Ｒ）へ各種寸法の電子機器Ｅの搭載が可能となる。
【００３４】
《２》本実施形態では、伸縮マウントレール１１に対して、電子機器Ｅの背面に給電ケーブルクランプ機構２０の機構品ブラケット２１を搭載できるので、汎用１９インチラック（Ｒ）の奥行き寸法に関係無く、電子機器Ｅの背面位置を基準として、機構品ブラケット２１を搭載可能であり、電子機器Ｅの跳ね等を抑制可能となる。
【００３５】
《３》本実施形態では、伸縮マウントレール１１に対して、給電ケーブルクランプ機構２０を搭載できるので、汎用１９インチラック（Ｒ）の奥行き寸法に関係無く、給電ケーブルＣ１の引き回し処理の最適な位置に給電ケーブルクランプ機構２０を搭載可能となる。
《４》本実施形態では、伸縮ケーブルレース４０を使用することで、汎用１９インチラック（Ｒ）の奥行き寸法に関係無く、電子機器Ｅの背面位置を基準に伸縮ケーブルレース４０を搭載可能であり、簡潔な伸縮ケーブルレース４０でのケーブル引き回し処理が可能となる。
【００３６】
《他の実施形態》
上記実施形態は以下のように変形することができる。 
すなわち、上記実施形態における伸縮マウントレール１１や、機器係止片２２を有する機構品ブラケット２１の位置決めでは、長穴を利用してねじ止めの移動を可能とする機構を採用しているが、異なる位置に複数のねじ穴を設け、固定すべき位置に応じて選択的にねじ止めすることや、バネ力によって発生する摩擦力を利用して着脱することができる、いわゆるワンタッチ式のスライド構造を使用することもできる。
【００３７】
また、上記実施形態では、電子機器Ｅの仕様に合わせて、片側だけではなく、電子機器Ｅの両側に位置する伸縮マウントレール１１のそれぞれにて、給電ケーブルクランプ機構２０を設けることも可能である。
また、上記実施形態では、機器係止片２２の爪形状を変えることで、電子機器Ｅの背面形状に応じた固定方式を採用することも可能となる。
さらに、上記実施形態では、伸縮ケーブルレース４０の棚板４２に一体に設けられたスライド部材４５の穴数や奥行を調整することで、より大きな電子機器Ｅへも対応可能となる。
【００３８】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００３９】
本発明は、電子機器搭載用の汎用１９インチラックに適用可能な電子機器支持フレーム及び電子機器におけるケーブル支持方法に関する。
【符号の説明】
【００４０】
１  ラック支柱
２  マウントレール
３  給電ケーブルクランプ機構
４  後柱フレーム
５  ブラケット
６  クランプ部材
１０  ラック支柱
１０Ａ  前柱フレーム
１０Ｂ  後柱フレーム
１１  伸縮マウントレール
２０  給電ケーブルクランプ機構
２１  機構品ブラケット
４０  伸縮ケーブルレース
４２  棚板
４４  締結ねじ
５０  締結手段
５１  締結手段
Ｃ    給電ケーブル
Ｃ１  給電ケーブル
Ｅ  電子機器
Ｍ  クランプ部材
Ｒ  汎用１９インチラック
【図１】
2020150010.tif 000003
【図２】
2020150010.tif 000004
【図３】
2020150010.tif 000005
【図４】
2020150010.tif 000006
【図５】
2020150010.tif 000007
【図６】
2020150010.tif 000008
【図７】
2020150010.tif 000009
【図８】
2020150010.tif 000010
【図９】
2020150010.tif 000011
【図１０】
2020150010.tif 000012